(57)【要約】【課題】見守り対象者の生活の実態を把握することができる見守りシステムを提供する。【解決手段】見守り対象者の容器１０の中身を出し入れすると、センサー部１３が動作し、撮影部１２が見守り対象者の容器１０の中身を撮影する。撮影された情報は、情報保存部２２に保存され、差分取得部２３が過去の情報と比較して差分を出し、問題があればアラーム処理部２４がアラームを発信する。また、見守り側は、表示部３２で、情報保存部２２の情報を見ることができる。【選択図】図１
2014038374.tif 000002
【特許請求の範囲】
【請求項１】
中にものを入れることができる容器を前提に、当該容器の中身に関する情報に基づき、当該容器のユーザの安否を判定する見守りサーバとを備えている見守りシステムであって、
上記容器の周辺には、
上記容器の内部を撮影してその撮影情報を生成する撮影手段と、
上記撮影情報を上記サーバに送信する送信手段とを備えており、
上記サーバは、
上記撮影情報を受信する受信手段と、
現在の上記撮影情報と、過去の上記撮影情報との差分に基づき、上記ユーザの安否を判定する判定手段とを備えていることを特徴とする見守りシステム。
【請求項２】
上記容器は、上記撮影手段が設けられた開閉可能な扉または蓋と、上記扉または蓋の開閉状態を検知する検知手段とをさらに備えており、
上記撮影手段は、上記扉または蓋が閉まったと判定されたとき、上記容器の内部を撮影することを特徴とする請求項１に記載の見守りシステム。
【請求項３】
上記撮影手段と、上記検知手段とは、加速度センサを備えた情報端末に備えられており、
上記情報端末は、上記扉または蓋に装着されており、
上記検知手段は、上記加速度センサの出力が所定の基準値を超えたときに、上記扉または蓋が閉じられたと判定することを特徴とする請求項２に記載の見守りシステム。
【請求項４】
上記撮影手段と、上記検知手段とは、地磁気センサを備えた情報端末に備えられており、
上記情報端末は、上記扉または蓋に装着されており、
上記検知手段は、上記地磁気センサの出力が所定の基準値を超えたときに、上記扉または蓋が閉じられたと判定することを特徴とする請求項２に記載の見守りシステム。
【請求項５】
上記容器は、上記情報端末が上記扉または蓋に装着されているときに上記情報端末を充電する充電部をさらに備えていることを特徴とする請求項２〜４のいずれか１項に記載の見守りシステム。
【請求項６】
上記撮影情報は、上記容器の中身を表す画像であることを特徴とする請求項１〜５のいずれか１項に記載の見守りシステム。
【請求項７】
上記撮影手段は、バーコードまたは２次元バーコードを撮影することによって、上記撮影情報を生成することを特徴とする請求項１〜６のいずれか１項に記載の見守りシステム。
【請求項８】
上記サーバは、上記判定手段によって上記ユーザに異常があると判定されたときにアラームを発するアラーム手段をさらに備えていることを特徴とする請求項１〜７のいずれか１項に記載の見守りシステム。
【請求項９】
上記判定手段は、上記容器の中身に一定期間変化がないと判定した場合に、上記ユーザに異常があると判定することを特徴とする請求項１〜８のいずれか１項に記載の見守りシステム。
【請求項１０】
上記判定手段は、一定期間、上記容器の中に同じものが出し入れされていると判定した場合に、上記ユーザに異常があると判定することを特徴とする請求項１〜９のいずれか１項に記載の見守りシステム。
【請求項１１】
上記容器は、冷蔵庫、汎用の容器、薬容器、または棚であることを特徴とする請求項１〜１０のいずれか１項に記載の見守りシステム。
【請求項１２】
請求項１〜１１のいずれか１項に記載の見守りシステムを構成していることを特徴とする容器。
【請求項１３】
請求項４または５に記載の見守りシステムを構成していることを特徴とする情報端末。
【請求項１４】
請求項１３に記載の情報端末を動作させるプログラムであって、コンピュータを、上記情報端末が備えている上記各手段として機能させるためのプログラム。
【請求項１５】
請求項１〜１１のいずれか１項に記載の見守りシステムを構成していることを特徴とするサーバ。
【請求項１６】
請求項１５に記載のサーバを動作させるプログラムであって、コンピュータを、上記サーバが備えている上記各手段として機能させるためのプログラム。
【請求項１７】
請求項１４または１５に記載のプログラムを記録しているコンピュータ読み取り可能な記録媒体。
【発明の詳細な説明】
【技術分野】
【０００１】
本発明は、遠隔地のユーザを見守る見守りシステムに関する。また、本発明は、当該見守りシステムを構成するサーバ、容器、情報端末、プログラム、および記録媒体に関する。
【背景技術】
【０００２】
近年、少子高齢化が進み、それに伴い高齢者だけの世帯も増加している。そのため、離れて暮らす家族等に安心感を与えるため、見守りシステムの需要が高まっている。従来の見守りシステムは、見守り対象者の部屋や扉にセンサーを取り付け、毎日の生活パターンを記録し、異常を検知すると見守り側に連絡するというシステムであった。しかし、新たにセンサーなどの設備を導入する必要があり、手間がかかるという問題があった。また、常時センサーが動作しているため、見守り対象者のプライバシーが十分に守られないという問題もあった。
【０００３】
特許文献１には、見守り対象者のテレビの操作情報を確認し、その情報を制御部で通常時と比較し、違いがあると見守り側へメール送信して知らせる技術が開示されている。テレビやテレビ電話等、見守りシステム以外として一般的に使用しているものに対して、簡単な機能を追加するだけで導入できる。また、テレビの操作状況のみの確認で、常時センサーで監視しているわけではないので、プライバシーが守られている。
【先行技術文献】
【特許文献】
【０００４】
【特許文献１】特開２０１１−２２７６９９号（公開日：２０１１年１１月１０日）
【発明の概要】
【発明が解決しようとする課題】
【０００５】
特許文献１の技術は、異常が発生してから見守り側へ連絡するので、見守り対象者が無事かどうかの確認はできても、見守り対象者がどのような日常生活を送っているかを、見守り側は知ることができない。
【０００６】
本発明では、上記の問題点に鑑みてなされたものであり、その目的は、ユーザの日常生活を把握することができ、かつユーザの安否確認ができる見守りシステムを提供することにある。さらには、当該見守りシステムを構成するサーバ、容器、情報端末、プログラム、および記録媒体を提供することにある。
【課題を解決するための手段】
【０００７】
本発明に係る見守りシステムは、上記の課題を解決するために、
中にものを入れることができる容器を前提に、当該容器の中身に関する情報に基づき、当該容器のユーザの安否を判定する見守りサーバとを備えている見守りシステムであって、
上記容器の周辺には、
上記容器の内部を撮影してその撮影情報を生成する撮影手段と、
上記撮影情報を上記サーバに送信する送信手段とを備えており、
上記サーバは、
上記撮影情報を受信する受信手段と、
現在の上記撮影情報と、過去の上記撮影情報との差分に基づき、上記ユーザの安否を判定する判定手段とを備えていることを特徴としている。
【０００８】
上記の構成によれば、見守りシステムは、ユーザの容器の中身を撮影し、その撮影情報をサーバが受信し、過去の撮影情報との差分から、ユーザの安否を判定する。すなわち、ユーザの容器の中身がどのように変化しているのか分かるので、ユーザの日常生活を把握することができ、かつユーザの安否確認ができる。
【０００９】
本発明に係る見守りシステムでは、さらに、
上記容器は、上記撮影手段が設けられた開閉可能な扉または蓋と、上記扉または蓋の開閉状態を検知する検知手段とをさらに備えており、
上記撮影手段は、上記扉または蓋が閉まったと判定されたとき、上記容器の内部を撮影することが好ましい。
【００１０】
上記の構成によれば、ユーザが自ら容器の中身を撮影しなくても、容器の中身の出し入れで自動的に中身を撮影することができる。
【００１１】
本発明に係る見守りシステムでは、さらに、
上記撮影手段と、上記検知手段とは、加速度センサを備えた情報端末に備えられており、
上記情報端末は、上記扉または蓋に装着されており、
上記検知手段は、上記加速度センサの出力が所定の基準値を超えたときに、上記扉または蓋が閉じられたと判定することが好ましい。
【００１２】
上記の構成によれば、撮影手段と検知手段を備えた容器を利用せずに済むので、本システムの導入コストを削減することができる。
【００１３】
本発明に係る見守りシステムでは、さらに、
上記撮影手段と、上記検知手段とは、地磁気センサを備えた情報端末に備えられており、
上記情報端末は、上記扉または蓋に装着されており、
上記検知手段は、上記地磁気センサの出力が所定の基準値を超えたときに、上記扉または蓋が閉じられたと判定することが好ましい。
【００１４】
上記の構成によれば、撮影手段と検知手段を備えた容器を利用せずにすむので、本システムの導入コストを削減することができる。
【００１５】
本発明に係る見守りシステムでは、さらに、
上記容器は、上記情報端末が上記扉または蓋に装着されているときに上記情報端末を充電する充電部をさらに備えていることが好ましい。
【００１６】
上記の構成によれば、ユーザが意識することなく自然に情報端末を扉または蓋に設置するので、今までの生活習慣を変えることなく、本システムを導入することができる。
【００１７】
本発明に係る見守りシステムでは、さらに、
上記撮影情報は、上記容器の中身を表す画像であることが好ましい。
【００１８】
上記の構成によれば、容器の中身は特定のものだけではなく、汎用的なものも扱うことができる。
【００１９】
本発明に係る見守りシステムでは、さらに、
上記容器の中身に、バーコードまたは２次元バーコードが貼り付けられており、
上記撮影手段は、上記バーコードまたは２次元バーコードを撮影することによって、上記撮影情報を生成することが好ましい。
【００２０】
上記の構成によれば、撮影情報をより高い精度で判定することができる。
【００２１】
本発明に係る見守りシステムでは、さらに、
上記サーバは、上記判定手段によって上記ユーザに異常があると判定されたときにアラームを発するアラーム手段をさらに備えている。
【００２２】
上記の構成によれば、撮影情報を常に確認していなくても、ユーザの異常を知ることができる。
【００２３】
本発明に係る見守りシステムでは、さらに、
上記判定手段は、上記容器の中身に一定期間変化がないと判定した場合に、上記ユーザに異常があると判定することが好ましい。
【００２４】
上記の構成によれば、ユーザの生活が偏っていないかを把握することができる。
【００２５】
本発明に係る見守りシステムでは、さらに、
上記判定手段は、一定期間、上記容器の中に同じものが出し入れされていると判定した場合に、上記ユーザに異常があると判定することが好ましい。
【００２６】
上記の構成によれば、ユーザの生活が偏っていないかを把握することができる。
【００２７】
本発明に係る見守りシステムでは、さらに、
上記容器は、冷蔵庫、汎用の容器、または薬容器であることが好ましい。
【００２８】
上記の構成によれば、ユーザの生活状況に合わせて本システムを柔軟に実施することができる。
【００２９】
本発明に係る容器は、上記の課題を解決するために、上述したいずれかの見守りシステムを構成していることを特徴としている。
【００３０】
上記の構成によれば、ユーザの日常生活を把握することができ、かつユーザの安否確認ができる見守りシステムを構成する容器を実現することができる。
【００３１】
本発明に係る情報端末は、上記の課題を解決するために、上述したいずれかの見守りシステムを構成していることを特徴としている。
【００３２】
上記の構成によれば、ユーザの日常生活を把握することができ、かつユーザの安否確認ができる見守りシステムを構成する情報端末を実現することができる。
【００３３】
本発明に係るサーバは、上記の課題を解決するために、上述したいずれかの見守りシステムを構成していることを特徴としている。
【００３４】
上記の構成によれば、ユーザの日常生活を把握することができ、かつユーザの安否確認ができる見守りシステムを構成するサーバを実現することができる。
【００３５】
なお、上記情報端末は、コンピュータによって実現してもよい。この場合、上記情報端末が備える上記各手段としてコンピュータを動作させることにより上記情報端末をコンピュータにおいて実現するプログラム、およびそのプログラムを記録したコンピュータ読み取り可能な記録媒体も、本発明の範疇に入る。
【００３６】
また、上記サーバは、コンピュータによって実現してもよい。この場合、上記サーバが備える上記各手段としてコンピュータを動作させることにより上記サーバをコンピュータにおいて実現するプログラム、およびそのプログラムを記録したコンピュータ読み取り可能な記録媒体も、本発明の範疇に入る。
【発明の効果】
【００３７】
以上のように、本発明に係る見守りシステムは、見守り対象者の無事だけではなく、日常生活も把握することができるという効果を奏する。
【図面の簡単な説明】
【００３８】
【図１】本発明の一実施形態に係る見守りシステムの要部構成を示すブロック図である。
【図２】（ａ）は見守り対象者の容器を示す図であり、（ｂ）は見守り対象者の容器を上から見た図である。
【図３】（ａ）は見守り対象者の容器の蓋が開いた際の容器を示す図であり、（ｂ）は見守り対象者の容器の蓋が閉じ、撮影された際の容器を示す図である。
【図４】情報端末が撮影する時の、見守り対象者の容器が処理する流れを示すフローチャートである。
【図５】（ａ）は見守り対象者の容器の蓋に設置されている情報端末を示す図であり、（ｂ）は見守り対象者の容器の蓋が開いたときの、情報端末の状態を示す図であり、（ｃ）は見守り対象者の容器の蓋が閉じ、情報端末が撮影する際の状態を示す図である。
【図６】情報端末が撮影した後の、見守りサーバの処理の流れを示すフローチャートである。
【図７】見守り対象者の容器が冷蔵庫の場合の、アラーム処理の流れを示すフローチャートである。
【図８】（ａ）は撮影された画像を示す図であり、（ｂ）は撮影された画像を見守り側機器に送信した際の表示部を示す図である。
【図９】（ａ）は情報端末を設置できる冷蔵庫を示す図であり、（ｂ）は情報端末を設置できる冷蔵庫の扉を開けた際の冷蔵庫を示す図である。
【図１０】（ａ）はセンサーカメラ付き冷蔵庫を示す図であり、（ｂ）はセンサーカメラ付き冷蔵庫の扉を開けた際の冷蔵庫を示す図である。
【図１１】（ａ）は情報端末を設置できる汎用の蓋を示す図であり、（ｂ）は情報端末を設置できる汎用の蓋を利用できる容器の一例を示す図であり、（ｃ）は情報端末を設置できる汎用の蓋を利用できる容器のもう一つの例を示す図である。
【図１２】見守り対象者の容器１０の中身の消費を確認する場合の、アラーム処理の流れを示すフローチャートである。
【図１３】（ａ）は差分の画像を見守り側機器に出力した際の表示部を示す図であり、（ｂ）は差分のテキストを見守り側機器に出力した際の表示部を示す図である。
【発明を実施するための形態】
【００３９】
本発明に係る一実施形態について、図１〜図１３を参照して以下に説明する。
【００４０】
（見守りシステム１の構成）
図１は、本発明の一実施形態に係る見守りシステム１の要部構成を示すブロック図である。この図で示すように、見守りシステム１は、見守り対象者の容器１０、見守りサーバ２０および見守り側機器３０によって構成されている。見守り対象者の容器１０、見守りサーバ２０および見守り側機器３０は、ネットワーク２によって、互いに通信可能である。
【００４１】
見守りサーバ２０は、見守り対象者の容器１０が撮影した情報（撮影情報、画像）を受信し、その情報を過去の情報と比較することによって、見守り対象者の安否を判定する。そして、見守り対象者に異常があると判定した場合、アラームを出力する。見守り側機器３０は、見守りサーバ２０に保存されている情報を確認することができる。
【００４２】
（見守り対象者の容器１０）
見守り対象者の容器１０は、例えば、冷蔵庫、汎用の容器、薬容器、または棚（台所等にある収納棚等）などの、中にものを入れることができる容器である。図１に示すように、見守り対象者の容器１０は、通信部１１、撮影部１２、センサー部１３を備えている。通信部１１は、ネットワーク２に接続されており、見守りサーバ２０に情報を送信する機能を有している。撮影部１２は、情報端末やデジタルカメラなど、撮影ができるハードウェアである。センサー部１３は、情報端末の加速度センサーや、扉の開閉を知らせるセンサーなどである。なお、通信部１１、撮影部１２、センサー部１３は、容器１０そのものではなく、容器１０の周辺に備えられていても良い。その意味では、見守りシステム１は通信部１１、撮影部１２、およびセンサー部１３を備えている必要はあるが、容器１０は必ずしも備えていなくてもよい。すなわち、容器１０は見守りシステム１の前提とするものである。
【００４３】
（見守りサーバ２０）
図１に示すように、見守りサーバ２０は、サーバ通信部２１、情報保存部２２、差分取得部２３、アラーム処理部２４を備えている。サーバ通信部２１は、ネットワーク２に接続されており、見守り対象者の容器１０からの情報を受信したり、見守り側機器３０に情報を送信したり、見守り側機器３０からの情報を受信したりする機能を有している。情報保存部２２は、撮影された情報や、差分情報が保存されている。差分取得部２３は、複数の情報を比較し、その差分を送信する機能を有している。アラーム処理部２４は、長期間、見守り対象者のセンサーに動きがない場合や、差分情報に問題がある場合に、アラームを発信する機能を有している。
【００４４】
（見守り側機器３０）
図１に示すように、見守り側機器３０は、通信部３１と、表示部３２と、入力部３３とを備えている。通信部３１は、ネットワーク２に接続されており、見守りサーバ２０からの情報を受信したり、見守りサーバ２０に情報を送信したりする機能を有している。表示部３２は、液晶ディスプレイなどの、情報を画面に表示する表示デバイスである。入力部３３は、キーボードやタッチパネルなどの、ユーザの入力を受け付けるハードウェアである。
【００４５】
（見守り対象者の容器１０の実施形態１）
図２（ａ）は見守り対象者の容器１０を示す図であり、（ｂ）は見守り対象者の容器１０を上から見た図である。見守り対象者の容器１０の構造について、図２を用いて説明する。
【００４６】
見守り対象者の容器１０は、蓋１４を備えており、蓋１４は、溝１５と、のぞき窓１６とを備えている。蓋１４によって、見守り対象者の容器１０は、中身を出し入れするために、開閉することができる。溝１５には、情報端末を設置でき、設置の際は、情報端末のカメラレンズがのぞき窓１６に合うように設置する。
【００４７】
（見守り対象者の容器１０の撮影動作）
図３（ａ）は見守り対象者の容器１０の蓋１４が開いた際の容器を示す図であり、（ｂ）は見守り対象者の容器１０の蓋１４が閉じ、撮影された際の容器を示す図である。見守り対象者の容器１０が撮影する動作について、図３を用いて説明する。
【００４８】
見守り対象者は、見守り対象者の容器１０の中身を出し入れするために、見守り対象者の容器１０の蓋１４を開け、図３（ａ）の状態にする。中身の出し入れを終えると、見守り対象者は、見守り対象者の容器１０の蓋１４を閉め、図３（ｂ）の状態にする。蓋１４を開けて閉める動作により、蓋１４に設置されている情報端末４０のセンサーが動作し、のぞき窓１６から、情報端末４０はカメラ機能を使って容器の中身を撮影する。
【００４９】
（見守り対象者の容器１０の撮影時の処理）
図４は、情報端末４０が撮影する時の、見守り対象者の容器１０が処理する流れを示すフローチャートである。
【００５０】
まず、センサー部１３が、規定の角度の閾値を超えたかどうかを判定する（ステップＳ１）。ステップＳ１における判定の結果が「真」であるとき（ｙｅｓ）、見守り対象者は蓋の開閉をして容器の中身を出し入れしたということなので、撮影部１２は容器の中身を撮影する（ステップＳ２）。撮影された画像は、撮影部１２から通信部１１に送信される。通信部１１は、受信した画像を、ネットワーク２を通じて、見守りサーバ２０に送信する(ステップＳ３)。こうして図４の処理は終了する。一方、ステップＳ１における判定の結果が「偽」であるとき（ｎｏ）、見守り対象者は容器の中身を出し入れしていないので、ステップＳ１に戻る。
【００５１】
（情報端末４０のセンサーの動作）
図５（ａ）は見守り対象者の容器１０の蓋１４に設置されている情報端末４０を示す図であり、（ｂ）は見守り対象者の容器１０の蓋１４が開いたときの、情報端末４０の状態を示す図であり、（ｃ）は見守り対象者の容器１０の蓋１４が閉じ、情報端末４０が撮影する際の状態を示す図である。情報端末４０のセンサーの動作について、図５を用いて説明する。
【００５２】
見守り対象者の容器１０の溝１５に、情報端末４０が設置されているとき、情報端末４０は、図５（ａ）のように、カメラのレンズが下の状態になっている。この状態から、見守り対象者の容器１０の蓋１４が開いたとき、情報端末４０は図５（ｂ）の状態になる。そして、見守り対象者の容器１０の蓋１４が閉じたとき、情報端末４０は図５（ｃ）の状態になる。このような情報端末４０の動きの中で、規定の角度の閾値を超えるとセンサーが動作し、図５（ｃ）の状態で、情報端末４０は見守り対象者の容器１０の中身を撮影する。なお、センサーは、情報端末に搭載されている加速度センサーや、地磁気センサーを使うことができる。
【００５３】
（撮影後の見守りサーバ２０）
図６は、情報端末４０が撮影した後の、見守りサーバ２０の処理の流れを示すフローチャートである。
【００５４】
まず、サーバ通信部２１は、見守り対象者の容器１０が送信した画像をネットワーク２から受信する（ステップＳ１１）。画像を受信したサーバ通信部２１は、その画像を情報保存部２２に送信する。情報保存部２２は、受信した画像を保存する。次に、情報保存部２２は、今回受信した画像と、前回受信した画像とを、差分取得部２３に送信する（ステップＳ１２）。差分取得部２３は、受信した２つの画像を比較し、差分情報を情報保存部２２に送信する。情報保存部２２は、受信した差分情報を保存する（ステップＳ１３）。差分情報を保存した情報保存部２２は、差分情報をアラーム処理部２４に送信し、アラーム処理部２４はアラーム用の処理をする（ステップＳ１４）。こうして図６の処理は終了する。
【００５５】
（アラーム処理の実施形態１）
図７は、見守り対象者の容器１０が冷蔵庫の場合の、アラーム処理の流れを示すフローチャートである。
【００５６】
アラーム処理部２４は、過去の差分情報を、情報保存部２２から受信する（ステップＳ２１）。アラーム処理部２４は、受信した差分情報の中から、多頻度商品を抽出する（ステップＳ２２）。たとえば、アラーム処理部２４は、情報保存部２２から過去２週間の差分情報を受信し、その中に７回以上登場している商品を、多頻度商品として抽出する。つまり、見守り対象者が頻繁に食べている商品を抽出する。続いて、アラーム処理部２４は、その中から例外として設定している商品を除外する（ステップＳ２３）。そして、アラーム処理部２４は、除外されなかった多頻度商品があるかどうかを判定する（ステップＳ２４）。ステップＳ２４における判定の結果が「真」であるとき（ｙｅｓ）、食生活が偏っていると判断できるので、アラーム処理部２４はアラームを発信する（ステップＳ２５）。こうして図７の処理は終了する。一方、ステップ２４における判定の結果が「偽」であるとき（ｎｏ）、食生活は偏っていないので、アラーム処理部２４は、アラームを発信しないで、図７の処理は終了する。
【００５７】
（表示部３２の出力画像の実施形態１）
図８（ａ）は撮影された画像を示す図であり、（ｂ）は撮影された画像を見守り側機器３０に送信した際の表示部３２を示す図である。表示部３２の送信画像について、図８を用いて説明する。
【００５８】
１日目に撮影された画像５１、２日目に撮影された画像５２、３日目に撮影された画像５３は、情報保存部２２に保存されている。見守り側は、情報保存部２２に保存された画像を見るために、入力部３３に見たい画像の情報を入力する。たとえば、見守り側は、入力３３に、１日目に撮影された画像５１と入力する。入力部３３は、入力された情報を通信部３１に送信する。通信部３１は、受信した情報を、ネットワーク２を通じて見守りサーバ２０に送信する。ネットワーク２から情報を受信したサーバ通信部２１は、情報保存部２２に情報を送信する。情報保存部２２は、1日目の画像５１をサーバ通信部２１に送信する。サーバ通信部２１は、受信した画像５１を、ネットワーク２を通じて見守り機器３０に送信する。ネットワーク２に送信された画像５１を受信した通信部３１は、受信した画像５１を表示部３２に送信する。表示部３２は、出力画像５４を表示する。
【００５９】
同様に、見守り側が２日目に撮影された画像５２と入力部３３に入力すると、表示部３２は出力画像５５を表示し、見守り側が３日目に撮影された画像５３と入力部３３に入力すると、表示部３２は出力画像５６を表示する。
【００６０】
（本発明の利点）
上述したように、見守りシステム１では、見守り対象者の容器の中身の出し入れをセンサーカメラで撮影し、撮影された画像から自動でアラームを発信したり、撮影された画像を見守り側が見たりすることができる。すなわち、見守り側は見守り対象者の無事だけではなく、容器の中身を出し入れする状況から、見守り対象者の生活の実態も把握することができる。また、見守りシステム以外で一般的に使用している情報端末のカメラやセンサーを利用することができるので、コストをかけずに導入することも可能である。
【００６１】
（見守り対象者の容器１０の実施形態２）
図９（ａ）は情報端末を設置できる冷蔵庫７０を示す図であり、（ｂ）は情報端末を設置できる冷蔵庫７０の扉を開けた際の冷蔵庫を示す図である。見守り対象者の容器１０の、第２の実施形態について、図９を用いて説明する。
【００６２】
情報端末を設置できる冷蔵庫７０は、開閉可能な扉７１を備えており、扉７１は、溝７２と、のぞき窓７３とを備えている。扉７１によって、情報端末を設置できる冷蔵庫７０は、中身を出し入れするために、開閉することができる。溝７２には、情報端末を設置でき、設置の際は、情報端末のカメラレンズがのぞき窓７３に合うように設置する。情報端末のセンサーは、情報端末が図５のように、既定の角度以上、傾いた場合に動作するので、情報端末を設置できる冷蔵庫７０の扉７１は、図９（ｂ）のように縦に開くようにする。こうすることで、扉７１の開閉で情報端末の向きが垂直から水平方向に変化することで加速度センサーが動作し、情報端末を設置できる冷蔵庫７０の中身を撮影することができる。近年、一般に販売されているスマートフォン等の情報端末の殆どには加速度センサが搭載されている。そのため、冷蔵庫にセンサーを設置したり、センサー用に冷蔵庫と端末の間に特別な接続を施したりしなくても、情報端末側のソフトウエアだけで、見守りシステム１におけるクライアント側（見守り対象者側）を構築することができる。
【００６３】
容器１０の扉を横に開く仕組としたい場合は、地磁気センサを活用するのが良い。扉を開閉すると、蝶番を軸に端末の向く方角が変化することで、地磁気センサが動作し、情報端末を設置できる冷蔵庫の中身を撮影することが出来る。一般に販売されているスマートフォン等の情報端末の殆どには、ＧＰＳ等の地磁気センサが搭載されているため、冷蔵庫にセンサーを設置したり、センサー用に冷蔵庫と情報端末の間に特別な接続を施したりしなくても、情報端末側のソフトウエアだけで、見守りシステム１におけるクライアント側を構築することができる。また、加速度センサやジャイロセンサを活用しても、横に開く扉の開け閉めをある程度検出することは可能である。したがって、高い開閉精度を求めなければ、加速度センサやジャイロセンサを使っても、扉が横に開く容器１０は実現可能である。
【００６４】
一般に、冷蔵庫は横に開くものが多いため、地磁気センサを使って横に開く扉のほうが馴染みがある。しかし、設置された場所そのものに問題がある場合や、冷蔵庫の部品に磁石や鉄を使うことが多い場合もあり、地磁気では実現が難しい例もある。その時々に応じて、加速度センサや地磁気センサを選択することが好ましい。
【００６５】
（見守り対象者の容器１０の実施形態３）
図１０（ａ）はセンサーカメラ付き冷蔵庫７４を示す図であり、（ｂ）はセンサーカメラ付き冷蔵庫７４の扉７５を開けた際の冷蔵庫を示す図である。見守り対象者の容器１０の、第３の実施形態について、図１０を用いて説明する。
【００６６】
センサーカメラ付き冷蔵庫７４は、扉７５の内側にセンサーとカメラとを内蔵している。扉７５は、開くと図１０（ｂ）の状態になり、扉７５が閉まると、内蔵センサーが動作し、カメラレンズ７６から撮影する。センサーとカメラとが内蔵されているので、情報端末を設置する場合と比べると、設置忘れによる撮影漏れがなくなり、扉の開閉により確実に、冷蔵庫内部の撮影をすることができる。
【００６７】
（見守り対象者の容器１０の実施形態４）
図１１（ａ）は情報端末を設置できる汎用の蓋８１を示す図であり、（ｂ）は情報端末を設置できる汎用の蓋８１を利用できる容器８３の一例を示す図であり、（ｃ）は情報端末を設置できる汎用の蓋８１を利用できる容器８４のもう一つの例を示す図である。見守り対象者の容器１０の、第４の実施形態について、図１１を用いて説明する。
【００６８】
情報端末を設置できる汎用の蓋８１は、情報端末を設置する溝８２を備えている。情報端末のセンサーは、図５のように、既定の角度以上、傾いた場合に動作する。したがって、蓋８１は、開閉されるときに情報端末が図５のような動きをするように設置されれば、下の容器は容器９３や容器９４のように、大きさ等は関係なく、どのような容器にでも利用できる。これにより、装着された情報端末を充電する充電部を蓋に設けたり、薬容器やお菓子容器なども利用できるので、見守り対象者の生活に合わせた実施形態が可能となる。
【００６９】
（アラーム処理の実施形態２）
図１２は見守り対象者の容器１０の中身の消費を確認する場合の、アラーム処理の流れを示すフローチャートである。
【００７０】
まず、差分取得部２３は、現在の時刻情報を読み込む（ステップＳ３１）。続いて、差分取得部２３は、現在時刻において消費しておくべき商品と、消費してはならない商品とを抽出し、その情報をアラーム処理部２４に送信する（ステップＳ３２）。アラーム処理部２４は、消費しておくべき商品が残っているかどうか判定する（ステップＳ３３）。ステップＳ３３における判定の結果が「真」であるとき（ｙｅｓ）、アラームを発信する。続いて、消費してはならない商品があるかどうか判定する（ステップＳ３５）。ステップＳ３５における判定の結果が「真」であるとき（ｙｅｓ）、誤った商品を消費しているので、アラームを発信する。こうして、図１２の処理は終了する。一方、ステップＳ３３における判定の結果が「偽」であるとき（ｎｏ）、正しく商品が消費されているので、アラームは発信せず、ステップＳ３５に進む。ステップＳ３５における判定の結果が「偽」であるとき（ｎｏ）、同様に、正しく商品が消費されているので、アラームを発信せず、図１２の処理は終了する。こうすることで、例えば見守り対象者の薬容器の中身を確認して、薬の飲み忘れや飲み間違いを監視することができる。
【００７１】
（表示部３２の出力画像の実施形態２）
図１３（ａ）は差分の画像を見守り側機器３０に出力した際の表示部３２を示す図であり、（ｂ）は差分のテキストを見守り側機器３０に出力した際の表示部３２を示す図である。表示部３２の出力画像の、第２の実施形態について、図１３を用いて説明する。
【００７２】
差分取得部２３が情報保存部２２に送信した差分の情報も、見守り側機器３０から見ることができる。図８に示したように、１日目に撮影された画像６１、２日目に撮影された画像６２、３日目に撮影された画像６３が、見守りシステム２０の情報保存部２２に保存されている。この場合、画像６１と画像６２との差分、画像６２と画像６３との差分も、情報保存部２２に保存されている。
【００７３】
見守り側が、入力部３３に、見たい画像として、１日目と２日目で消費したものの画像と入力した場合、入力部３３は、入力された情報を通信部３１に送信する。通信部３１は、受信した情報を、ネットワーク２を通じて、見守りサーバ２０に送信する。サーバ通信部２１は、ネットワーク２から情報を受信し、情報保存部２２に送信する。情報保存部２２は、１日目と２日目の差分の画像を、サーバ通信部２１に送信する。サーバ通信部２１は、受信した画像を、ネットワーク２を通じて、見守り側機器３０に送信する。通信部３１は、ネットワーク２から画像を受信し、表示部３２に送信する。表示部３２は、出力画像５７を表示する。
【００７４】
同様に、見守り側が、入力部３３に、見たい画像として、１日目と２日目で追加したものの画像と入力すると、表示部３２に出力画像５８が表示される。また、入力部３３に、２日目と３日目で消費したものの画像と入力すると、出力画像５９が表示部３２に表示され、２日目と３日目で追加したものの画像と入力すると、出力画像６０が表示部３２に送信される。
【００７５】
また、見守り対象者の容器１０の中身をセンシングするとき、撮影対象にバーコードおよび２次元バーコードを用いることもできる。その場合、表示部３２にはテキストで出力される。
【００７６】
見守り側が、入力部３３に、１日目と２日目で消費したものと入力した場合、表示部３２には出力画像６１が表示される。同様に、入力部３３に、１日目と２日目で追加したものと入力すると、出力画像６２が表示部３２に表示される。また、入力部３３に、２日目と３日目で消費したものと入力すると、出力画像６３が表示部３２に表示され、入力部３３に、２日目と３日目で追加したものと入力すると、出力画像６４が表示部３２に表示される。
【００７７】
容器の中身をセンシングために、現在一般に流通しているスマートフォンなどの情報端末を活用する場合は、以上で説明したように撮影する手法が最も適している。しかし、単純に中身を撮影する場合は、商品が上下に重なった場合に、正確にセンシング出来ないという課題が生ずる。そのような場合の対策として、商品側にＲＦＩＤ等の無線チップを付帯させると共に、当該無線チップを読み取ることができるセンサーを利用して、センシングする方法が挙げられる。そうすると、図８-の様に丁寧に商品を並べなくても、図１３（ｂ）のように、商品を整理して表示させることが可能になる。
【００７８】
本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【００７９】
（プログラムおよび記録媒体）
最後に、見守りサーバ２０に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００８０】
すなわち見守りサーバ２０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【００８１】
この記録媒体は、上述した機能を実現するソフトウェアである見守りサーバ２０のプログラムのプログラムコード（実行形式プログラム、中間コードプログラム、ソースプログラム）をコンピュータで読み取り可能に記録していればよい。この記録媒体は、見守りサーバ２０に供給される。コンピュータとしての見守りサーバ２０（またはＣＰＵやＭＰＵ）は、供給された記録媒体に記録されているプログラムコードを読み出し、実行する。
【００８２】
プログラムコードを見守りサーバ２０に供給する記録媒体は、一時的でない有形の媒体（non-transitory tangible medium）である。また、当該記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などとすることができる。
【００８３】
また、見守りサーバ２０を通信ネットワークと接続可能に構成しても、本発明の目的を達成できる。この場合、上記のプログラムコードを、通信ネットワークを介して見守りサーバ２０に供給する。この通信ネットワークは見守りサーバ２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００８４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００８５】
また、容器１０または情報端末に含まれている各ブロックも、見守りサーバ２０と同様に、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【産業上の利用可能性】
【００８６】
本発明は、一人暮らしの高齢者や単身赴任者の生活の実態を、親族等に知らせる見守りシステムとして、幅広く利用できる。
【符号の説明】
【００８７】
１  見守りシステム
２  ネットワーク
１０  見守り対象者の容器（ユーザの容器）
１１  通信部（送信手段）
１２  撮影部（撮影手段）
１３  センサー部（検知手段）
２０  見守りサーバ
２１  サーバ通信部（受信手段）
２２  情報保存部
２３  差分取得部
２４  アラーム処理部（判定手段、アラーム手段）
３０  見守り側機器
３１  通信部
３２  表示部
３３  入力部
【図１】
2014038374.tif 000003
【図２】
2014038374.tif 000004
【図３】
2014038374.tif 000005
【図４】
2014038374.tif 000006
【図５】
2014038374.tif 000007
【図６】
2014038374.tif 000008
【図７】
2014038374.tif 000009
【図８】
2014038374.tif 000010
【図９】
2014038374.tif 000011
【図１０】
2014038374.tif 000012
【図１１】
2014038374.tif 000013
【図１２】
2014038374.tif 000014
【図１３】
2014038374.tif 000015